(57)【要約】    【課題】  目当てキャップが目当てから簡単に外れないようにする。    【解決手段】  光学機器の目当て２０に装着される目当てキャップ１０において、目当て２０の先端部のフランジ部２３を圧入可能な環状凹部１５を底面部１１に形成した。【選択図】        図１
2005241722.tif 000002
【特許請求の範囲】
【請求項１】
光学機器の目当てに装着される目当てキャップにおいて、
前記目当ての観察者側端部を挟持する挟持手段を備えていることを特徴とする目当てキャップ。
【請求項２】
前記挟持手段は前記目当ての観察者側端部が圧入される環状凹部であることを特徴とする請求項１記載の目当てキャップ。
【請求項３】
前記環状凹部と前記目当ての観察者側端部とが接触する領域の近傍に、前記環状凹部に前記目当ての観察者側端部が圧入されたとき、その環状凹部内の空気を逃がす切欠を備えていることを特徴とする請求項２記載の目当てキャップ。
【請求項４】
前記環状凹部の一部を構成する外側筒部の先端部の内周面に、前記外側筒部の底面部側の内径より大きい径を有し、前記折返し可能な前記目当ての観察者側端部を前記環状凹部内へ案内する案内面を備えていることを特徴とする請求項２又は３記載の目当てキャップ。
【発明の詳細な説明】
【技術分野】
【０００１】
この発明は光学機器の目当てに装着される目当てキャップに関する。
【背景技術】
【０００２】
双眼鏡等の光学機器の接眼部には、外光の侵入を防止したり、接眼部と目との位置関係を一定に保ち易くしたりすること等を目的として目当てが装着される。
【０００３】
この目当ては一般的に変形し易い軟質ゴム材や軟質合成樹脂材で形成される。目当ては接眼部に装着される装着部とこの装着部から光軸方向へ突出する突出部とを備えている。目当ては使用者の目に押し当てて使用される。
【０００４】
また、目当てには、眼鏡使用者であっても良好な観察をすることができるように、突出部を外側に折り返して使うことができるものがある。
【０００５】
そして、光学機器を使用しないときは、目当ての突出部に目当てキャップを装着し、接眼レンズを保護するようにする。なお、目当てキャップは一般的にプラスチック材料や硬質のゴム材等で形成される。
【０００６】
この種の目当てキャップとしては、特開平８−１９００５９号公報に記載されたものがある。
【特許文献１】特開平８−１９００５９号公報
【発明の開示】
【発明が解決しようとする課題】
【０００７】
目当てキャップの内周面と目当ての突出部の外周面との摩擦力だけで両者の嵌合状態が維持されている（特開平８−１９００５９号公報の図１参照）。目当ては軟質ゴム材で形成されているため、突出部は変形し易い。突出部が径方向内側へ変形したときには、目当てキャップの内周面と目当ての突出部の外周面との摩擦力が低下し、目当てと目当てキャップとの嵌合が緩くなる。
【０００８】
また、目当てキャップはプラスチック材料等で形成されているので、温度や湿度等の変化によって目当てキャップの径方向の寸法が変わる。目当てキャップの径方向の寸法が大きくなったときには、目当てキャップの内周面と目当ての突出部の外周面との摩擦力が低下し、目当てと目当てキャップとの嵌合が緩くなる。
【０００９】
その結果、目当てキャップの装着中に目当てキャップが目当てから外れ、目当てキャップを紛失するおそれがあった。
【００１０】
この発明はこのような事情に鑑みてなされたもので、その課題は目当てキャップが目当てから簡単に外れないようにすることである。
【課題を解決するための手段】
【００１１】
上記課題を解決するため請求項１記載の発明は、光学機器の目当てに装着される目当てキャップにおいて、前記目当ての観察者側端部を挟持する挟持手段を備えていることを特徴とする。
【００１２】
請求項２記載の発明は、請求項１記載の目当てキャップにおいて、前記挟持手段は前記目当ての観察者側端部が圧入される環状凹部であることを特徴とする。
【００１３】
請求項３記載の発明は、請求項２記載の目当てキャップにおいて、前記環状凹部と前記目当ての観察者側端部とが接触する領域の近傍に、前記環状凹部に前記目当ての観察者側端部が圧入されたとき、その環状凹部内の空気を逃がす切欠を備えていることを特徴とする。
【００１４】
請求項４記載の発明は、請求項２又は３記載の目当てキャップにおいて、前記環状凹部の一部を構成する外側筒部の先端部の内周面に、前記外側筒部の底面部側の内径より大きい径を有し、前記折返し可能な前記目当ての観察者側端部を前記環状凹部内へ案内する案内面を備えていることを特徴とする。
【発明の効果】
【００１５】
以上に説明したようにこの発明の目当てキャップによれば、目当てキャップが目当てから簡単に外れないようにすることができる。
【発明を実施するための最良の形態】
【００１６】
以下、この発明の実施の形態を図面に基づいて説明する。
【００１７】
図１はこの発明の第１実施形態に係る目当てキャップを目当てに装着したときの断面を示す概念図、図２は目当てキャップの平面図である。
【００１８】
図１は双眼鏡等の光学機器に設けられた接眼鏡筒３０に嵌合によって装着された目当て２０に目当てキャップ１０を装着した状態を示している。
【００１９】
接眼鏡筒３０には接眼レンズ３１が保持されている。接眼レンズ３１は観察像を拡大して見るためのものである。
【００２０】
目当て２０は変形し易い軟質ゴム材や軟質合成樹脂材で円筒形に成形されている。目当て２０は接眼鏡筒３０に装着される装着部２１とこの装着部２１から接眼レンズ３１の光射出方向へ突出し、外側に折り返し可能な突出部２２とを備えている。
【００２１】
突出部２２の先端部（観察者側端部）の内周にはほぼ円形断面のフランジ部２３が形成されている。突出部２２の先端部の外径及び内径はそれぞれ２ａ及び２ｂである（図１参照）。
【００２２】
目当てキャップ１０はプラスチック材料や硬質のゴム材等で成形されている。
【００２３】
目当てキャップ１０は円盤状の底面部１１と外側筒部１２と内側筒部１３とを備えている。底面部１１と外側筒部１２と内側筒部１３とでフランジ部２３を圧入可能な環状凹部（挟持手段）１５が形成される。この実施形態では、環状凹部１５の幅及び内側筒部１３の長さ（高さ）はそれぞれフランジ部２３の直径にほぼ等しくしたが、環状凹部１５の幅及び内側筒部１３の長さはフランジ部２３の直径より大きくてもよい。
【００２４】
外側筒部１２の内径及び内側筒部１３の外径はそれぞれ１ａ及び１ｂである（図２参照）。突出部２２の先端部の外径２ａは外側筒部１２の内径１ａにほぼ等しく、突出部２２の先端部の内径２ｂは内側筒部１３の外径１ｂにほぼ等しい（図２参照）。
【００２５】
外側筒部１２には１２０°の間隔をおいて切欠１４が形成されている（図２参照）。切欠１４は、環状凹部１５にフランジ部２３が圧入されたとき、フランジ部２３で圧縮された環状凹部１５内の空気を外部に逃がす。
【００２６】
目当て２０に目当てキャップ１０を装着するとき、突出部２２の外周面に外側筒部１２の内周面を当てて目当てキャップ１０を目当て２０側へ押し込む。その結果、目当てキャップ１０の環状凹部１５にフランジ部２３が圧入される。
【００２７】
このようにフランジ部２３が目当てキャップ１０の環状凹部１５に圧入されているので、目当て２０と目当てキャップ１０との嵌合が緩くなり難い。
【００２８】
なお、上述したように目当てキャップ１０の径方向の寸法は成形後の温度や湿度等の変化に応じて変わる。
【００２９】
外側筒部１２の内径１ａ及び内側筒部１３の外径１ｂは同じ方向（径方向外側又は内側）に変化するので、環状凹部１５の径方向寸法の変化量は外側筒部１２の内径１ａの変化量Δ１ａと内側筒部１３の外径１ｂの変化量Δ１ｂとの差（Δ１ａ−Δ１ｂ）になる。
【００３０】
通常、外側筒部１２の内径１ａ及び内側筒部１３の外径１ｂと、外側筒部１２の内径１ａと内側筒部１３の外径１ｂとの差（１ａ−１ｂ）との間には次の関係がある。
【００３１】
１ａ，１ｂ＞＞（１ａ−１ｂ）
【００３２】
したがって、外側筒部１２の内径１ａの変化量Δ１ａ及び内側筒部１３の外径１ｂの変化量Δ１ｂと両変化量の差（Δ１ａ−Δ１ｂ）との間にも次の関係が成り立つ。
【００３３】
Δ１ａ，Δ１ｂ＞＞（Δ１ａ−Δ１ｂ）
【００３４】
このように、目当てキャップ１０は成形後の温度や湿度等の環境変化をほとんど受けないことがわかる。
【００３５】
この実施形態によれば、目当てキャップ１０が目当て２０から簡単に外れない。その結果、目当てキャップ１０を紛失し難くなる。また、目当てキャップ１０を目当て２０に装着するとき、環状凹部１５内で圧縮された空気を切欠１４を介して外部へ逃がすことができるので、フランジ部２３をスムーズに環状凹部１５に圧入することができる。更に、フランジ部２３を備えるものであれば、目当て２０の突出部２２の光軸方向への寸法が長くなったとしても目当てキャップ１０が目当て２０から簡単に外れない。
【００３６】
なお、この実施形態では外側に折り返し可能な突出部２２を備えた目当て２０に目当てキャップ１０を装着する場合を説明したが、目当て２０はこれに限られるものではなく、フランジ部２３を備えるものであれば、突出部を折り返さない、例えばスライド式の目当て（図示せず）に対しても同様に目当てキャップ１０を装着することができる。
【００３７】
図３はこの発明の第２実施形態に係る目当てキャップを目当てに装着する直前の断面を示す概念図、図４は目当てキャップを目当てに装着したときの断面を示す概念図であり、第１実施形態と共通する部分には同一符号を付してその説明を省略する。
【００３８】
目当てキャップ１１０は底面部１１１と外側筒部１１２と内側筒部１１３とを備えている。底面部１１１と外側筒部１１２と内側筒部１１３とでフランジ部２３を圧入可能な環状凹部（挟持手段）１１５が形成される。環状凹部１１５の幅及び内側筒部１１３の長さはそれぞれフランジ部２３の直径にほぼ等しい。
【００３９】
突出部２２の先端部の外径は外側筒部１１２の底面部側の内径にほぼ等しく、突出部２２の先端部の内径は内側筒部１１３の外径にほぼ等しい。
【００４０】
外側筒部１１２には１２０°の間隔をおいて切欠１１４が形成されている。切欠１１４は、環状凹部１１５にフランジ部２３が圧入されたとき、フランジ部２３で圧縮された環状凹部１１５内の空気を外部に逃がす。
【００４１】
また、外側筒部１１２の先端部の内周面には折返し可能な突出部２２を環状凹部１１５内へ案内する案内面１１６が設けられている。
【００４２】
案内面１１６は光軸Ｌを中心軸とする円筒面を有する。この面の内径１ｄは外側筒部１１２の底面部側の内径より大きい。なお、案内面１１６を光軸Ｌに対して対称な傾斜を有するテーパ面としてもよい。
【００４３】
また、内側筒部１１３の先端部は面取りされ、斜面（又は曲面）１ｅとなっている。
【００４４】
目当て２０に目当てキャップ１１０を装着する手順は第１実施形態と同様である。
【００４５】
この第２実施形態によれば、第１実施形態と同様の効果を奏する。また、折返しによって突出部２２が径方向外側へ変形してその径が大きくなったとしても、突出部２２をすぼめることなく目当て２０の先端部を目当てキャップ１１０内に挿入することができる。更に、フランジ部２３が斜面１ｅに案内されるため、フランジ部２３を環状凹部１１５に容易に圧入することができる。
【図面の簡単な説明】
【００４６】
【図１】図１はこの発明の第１実施形態に係る目当てキャップを目当てに装着したときの断面を示す概念図である。
【図２】図２はこの発明の第１実施形態に係る目当てキャップの平面図である。
【図３】図３はこの発明の第２実施形態に係る目当てキャップを目当てに装着する直前の断面を示す概念図である。
【図４】図４はこの発明の第２実施形態に係る目当てキャップを目当てに装着したときの断面を示す概念図である。
【符号の説明】
【００４７】
１０，１１０  目当てキャップ
１４，１１４  切欠
１５，１１５  環状凹部（挟持手段）
２０  目当て
１１６  案内面
【図１】
2005241722.tif 000003
【図２】
2005241722.tif 000004
【図３】
2005241722.tif 000005
【図４】
2005241722.tif 000006